(57)【要約】生体の皮膚に装着された一対の電極（１１Ａ，１１Ｂ）間に電圧印加手段（１２）によりステップ電圧を印加し、そのとき電極（１１Ａ，１１Ｂ）間に流れる応答電流の初期電流量を初期電流量計測手段（２１）により計測するとともに、応答電流の初期の所定時間あたりの変化量を初期電流変化量計測手段（２２）により計測する。そして、データ作成手段（２３）によって初期電流量の平方値を初期電流変化量で除して得られる値の関数として測定データを作成する。これにより、生体の皮膚を三要素回路でモデル化したときの基底膜の電気容量、すなわち、基底膜近傍の電解質の量を示す電気的特性値を正確に測定することが可能になる。
2003090620.tif 000002
【特許請求の範囲】
【請求項１】
生体の皮膚に装着される一対の電極（１１Ａ，１１Ｂ）と、
上記一対の電極（１１Ａ，１１Ｂ）間にステップ電圧を印加する電圧印加手段（１２）と、
上記電圧印加手段（１２）によりステップ電圧が印加されたときに上記一対の電極（１１Ａ，１１Ｂ）間に流れる応答電流の初期電流量を計測する初期電流量計測手段（２１）と、
上記電圧印加手段（１２）によりステップ電圧が印加されたときに上記一対の電極（１１Ａ，１１Ｂ）間に流れる応答電流の初期の所定時間あたりの変化量を計測する初期電流変化量計測手段（２２）と、
上記初期電流量の平方値を上記初期電流変化量で除して得られる値の関数として測定データを作成するデータ作成手段（２５）と、
上記測定データを出力する出力手段（２９）とを備えたことを特徴とする、電気的特性値測定装置。
【請求項２】
生体の皮膚に装着される一対の電極（１１Ａ，１１Ｂ）と、
上記一対の電極間にステップ電圧を印加する電圧印加手段（１２）と、
上記電圧印加手段（１２）によりステップ電圧が印加されたときに上記一対の電極（１１Ａ，１１Ｂ）間に流れる応答電流の初期電流量を計測する初期電流量計測手段（２１）と、
上記電圧印加手段（１２）によりステップ電圧が印加されたときに上記一対の電極（１１Ａ，１１Ｂ）間に流れる応答電流の初期の所定時間あたりの変化量を計測する初期電流変化量計測手段（２２）と、
上記初期電流量の関数として第１測定データを作成し、上記初期電流量の平方値を上記初期電流変化量で除して得られる値の関数として第２測定データを作成するデータ作成手段（２４，２５）と、
上記各測定データを出力する出力手段（２９）とを備えたことを特徴とする、電気的特性値測定装置。
【請求項３】
生体の皮膚に装着される一対の電極（１１Ａ，１１Ｂ）と、
上記一対の電極（１１Ａ，１１Ｂ）間にステップ電圧を印加する電圧印加手段（１２）と、
上記電圧印加手段（１２）によりステップ電圧が印加されたときに上記一対の電極（１１Ａ，１１Ｂ）間に流れる応答電流の初期電流量を計測する初期電流量計測手段（２１）と、
上記電圧印加手段（１２）によりステップ電圧が印加されたときに上記一対の電極（１１Ａ，１１Ｂ）間に流れる応答電流の初期の所定時間あたりの変化量を計測する初期電流変化量計測手段（２２）と、
上記初期電流量の平方値を上記初期電流変化量で除して得られる値を上記初期電流量に乗算した値の関数として第１測定データを作成し、上記初期電流量の平方値を上記初期電流変化量で除して得られる値を上記初期電流量で除算した値の関数として第２測定データを作成するデータ作成手段（２４，２５，２７，２８）と、
上記各測定データを出力する出力手段（２９）とを備えたことを特徴とする、電気的特性値測定装置。
【請求項４】
上記一対の電極（１１Ａ，１１Ｂ）間に流れる電流量を所定の周期でサンプリングするサンプリング手段（１４）を備え、
上記初期電流量計測手段（２１）は、上記サンプリング手段（１４）でサンプリングされた一番目のサンプリング値を上記初期電流量として取得するように構成され、
上記初期電流変化量計測手段（２２）は、上記サンプリング手段（１４）でサンプリングされた一番目のサンプリング値と二番目のサンプリング値との偏差を上記初期電流変化量として取得するように構成されていることを特徴とする、請求の範囲第１項乃至第３項の何れか１項に記載の電気的特性値測定装置。
【請求項５】
生体の皮膚に装着される一対の電極（１１Ａ，１１Ｂ）と、
上記一対の電極間にステップ電圧を印加する電圧印加手段（１２）と、
上記電圧印加手段（１２）によりステップ電圧が印加されたときに上記一対の電極（１１Ａ，１１Ｂ）間に流れる応答電流の初期電流量を計測する初期電流量計測手段（２１）と、
上記電圧印加手段（１２）によりステップ電圧が印加されたときに上記一対の電極（１１Ａ，１１Ｂ）間に流れる応答電流の初期の所定時間あたりの変化量を計測する初期電流変化量計測手段（２２）と、
上記初期電流量の平方値を上記初期電流変化量で除して得られる値の関数として上記生体の電気的特性値を算出する電気的特性値算出手段（２５）と、
上記電気的特性値と上記生体の経絡臓器機能の状態との関係を記憶したデータベース（３３）と、
今回算出された上記電気的特性値に対応する経絡臓器機能状態を上記データベース（３３）から検索する検索手段（３２）と、
上記検索手段（３２）が検索した検索結果を表示する表示手段（５０）とを備えたことを特徴とする、経絡臓器機能診断装置。
【請求項６】
生体の皮膚に装着される一対の電極（１１Ａ，１１Ｂ）と、
上記一対の電極（１１Ａ，１１Ｂ）間にステップ電圧を印加する電圧印加手段（１２）と、
上記電圧印加手段（１２）によりステップ電圧が印加されたときに上記一対の電極（１１Ａ，１１Ｂ）間に流れる応答電流の初期電流量を計測する初期電流量計測手段（２１）と、
上記電圧印加手段（１２）によりステップ電圧が印加されたときに上記一対の電極（１１Ａ，１１Ｂ）間に流れる応答電流の初期の所定時間あたりの変化量を計測する初期電流変化量計測手段（２２）と、
上記初期電流量の関数として上記生体の第１電気的特性値を算出し、上記初期電流量の平方値を上記初期電流変化量で除して得られる値の関数として上記生体の第２電気的特性値を算出する電気的特性値算出手段（２４，２５）と、
上記各電気的特性値と上記生体の経絡臓器機能の状態との関係を記憶したデータベース（３３）と、
今回算出された上記各電気的特性値に対応する経絡臓器機能状態を上記データベースから検索する検索手段（３２）と、
上記検索手段（３２）が検索した検索結果を表示する表示手段（５０）とを備えたことを特徴とする、経絡臓器機能診断装置。
【請求項７】
生体の皮膚に装着される一対の電極（１１Ａ，１１Ｂ）と、
上記一対の電極（１１Ａ，１１Ｂ）間にステップ電圧を印加する電圧印加手段（１２）と、
上記電圧印加手段（１２）によりステップ電圧が印加されたときに上記一対の電極（１１Ａ，１１Ｂ）間に流れる応答電流の初期電流量を計測する初期電流量計測手段（２１）と、
上記電圧印加手段（１２）によりステップ電圧が印加されたときに上記一対の電極（１１Ａ，１１Ｂ）間に流れる応答電流の初期の所定時間あたりの変化量を計測する初期電流変化量計測手段（２２）と、
上記初期電流量の平方値を上記初期電流変化量で除して得られる値の関数として上記生体の電気的特性値を算出する電気的特性値算出手段（２５）と、
上記生体の複数箇所で検出された上記電気的特性値を順に一時記憶する一時記憶手段（４５Ａ〜４５Ｎ）と、
上記生体の所定箇所で検出される上記電気的特性値の集合の特徴と上記生体の経絡臓器機能の状態との関係を記憶したデータベース（４３）と、
今回算出されて上記一時記憶手段（４５Ａ〜４５Ｎ）に記憶された上記電気的特性値の集合に対応する経絡臓器機能状態を上記データベース（４３）から検索する検索手段（４２）と、
上記検索手段（４２）が検索した検索結果を表示する表示手段（５０）とを備えたことを特徴とする、経絡臓器機能診断装置。
【請求項８】
生体の皮膚に装着される一対の電極（１１Ａ，１１Ｂ）と、
上記一対の電極（１１Ａ，１１Ｂ）間にステップ電圧を印加する電圧印加手段（１２）と、
上記電圧印加手段（１２）によりステップ電圧が印加されたときに上記一対の電極（１１Ａ，１１Ｂ）間に流れる応答電流の初期電流量を計測する初期電流量計測手段（２１）と、
上記電圧印加手段（１２）によりステップ電圧が印加されたときに上記一対の電極（１１Ａ，１１Ｂ）間に流れる応答電流の初期の所定時間あたりの変化量を計測する初期電流変化量計測手段（２２）と、
上記初期電流量の関数として上記生体の第１電気的特性値を算出し、上記初期電流量の平方値を上記初期電流変化量で除して得られる値の関数として上記生体の第２電気的特性値を算出する電気的特性値算出手段（２４，２５）と、
上記生体の複数箇所で検出された上記各電気的特性値を順に一時記憶する一時記憶手段（４５Ａ〜４５Ｎ）と、
上記生体の所定箇所で検出される上記各電気的特性値の集合の特徴と上記生体の経絡臓器機能の状態との関係を記憶したデータベース（４３）と、
今回算出されて上記一時記憶手段（４５Ａ〜４５Ｎ）に記憶された上記各電気的特性値の集合に対応する経絡臓器機能状態を上記データベース（４３）から検索する検索手段（４２）と、
上記検索手段（４２）が検索した検索結果を表示する表示手段（５０）とを備えたことを特徴とする、経絡臓器機能診断装置。
【請求項９】
上記データベース（３３又は４３）には、各経絡臓器機能の状態に応じた治療方法がさらに記憶されており、
上記検索手段（３２又は４２）は、今回の診断にかかる経絡臓器機能状態に応じた治療方法を上記データベース（３３又は４３）から検索して上記表示手段（５０）に表示させるように構成されていることを特徴とする、請求の範囲第５項乃至第８項の何れか１項に記載の経絡臓器機能診断装置。
【発明の詳細な説明】
技術分野
本発明は、生体に一対の電極を装着してステップ電圧を印加したときの応答電流から生体の電気特性を測定する技術、及び、その電気的特性から生体の経絡臓器機能を診断する技術に関する。
背景技術
東洋医学の分野では、人体の全身に張り巡らされた経絡という系統の存在が認知されており、臓器や運動器の状態は経絡に密接に関連しているものと考えられている。そして、臓器や運動器の疾患は、経絡の異常として現れるものとされ、異常状態にある経絡のツボを見つけだして、そこに針、熱、電気等による刺激を与えることによって、臓器や運動器の疾患を間接的に治療することが行われている。
しかしながら、人体には無数のツボがあるため、異常状態にあるツボを見つけだすことは難しい。このため、一般的には、鍼・灸等の東洋医学的治療における診断の初期ステップとして、性質において関連のあるツボの並び、すなわち経絡の強弱（虚実）を判断している。そして、このような東洋医学的治療を補助するための機械として、ツボにステップ電圧を印加したときの応答電流を計測し、経絡の虚実を測定する装置が実用化されている。経絡に異常があるとツボにステップ電圧を印加したときの応答電流の波形が変化することが経験的に知られており、上記装置はこの経験則に基づいて開発されている。計測した応答電流から経絡の異常を判断する方法としては、従来から様々な方法が提案されている。例えば、特公平２−３３８１号公報に開示された装置は、計測した応答電流から診断のポイントとなる特徴量を数値データとして演算するものであり、図１１のグラフ（ａ）に示すようにステップ電圧を印加したときに得られる、図１１のグラフ（ｂ）に示す応答電流の波形から、波高値（初期電流値）ＩＰ、分極発生時点の安定値ＩＳ、波高値から安定値までの分極時間Ｔ（＝ｔＳ−ｔＰ）、変動時間面積（移動電荷総量）ＩＱ、及び電流波形に対する任意時刻における接線傾きｔａｎθ（＝ｄｉ／ｄｔ）の五つのパラメータを診断データとして演算し、演算結果を表示機に表示している。また、特開平８−１６８４６９号公報に開示された装置は、複数のツボで得られた波形を平均した平均波形は、いずれかの経絡に異常がある場合でも殆ど変化しないことに着目して、診断対象となるツボの波形と平均波形とを対比して表示することで、波形形状そのものによってから経絡の異常を判断できるようにしている。
ところで、東洋医学では、体の健康バランスを表わすのに「陰陽」という概念と「虚実」という概念が用いられる。「陰陽」は体質を示し、「虚実」は体力の有無をあらわしている。また、人体の活性度は「気」という概念であらわされるが、東洋医学では、さらに「気」を人体の器質としての健康度である陰気（栄気）と代謝量や免疫力を示す活性度である陽気（衛気）とに分けて考え、それぞれの強さから「陰陽」を論じている。したがって、適切な東洋医学的治療を施すためには、これら「陰陽」「虚実」の正確な判定が必要になる。
しかしながら、上記の従来の装置では、体力を示す気の「虚実」についての漠然とした診断は可能であるものの、体質を示す「陰陽」については診断できなかった。これは、栄気・衛気の分類・比較による人体の性質付けが十分になされていなかったという医学的理由のみならず、従来の装置では、「陰陽」「虚実」を正確に判断できるだけの計測データを得ることができないという技術的理由もある。例えば、特公平２−３３８１号公報に開示された装置では、複数のパラメータが診断データとして挙げられているものの、それらパラメータを用いた診断方法については、波高値ＩＰ以外には具体的に示されていない。また、特開平８−１６８４６９号公報に開示された装置では、平均波形との比較により経絡の異常の有無については判定できるものの、それは主観的な漠然とした判定とならざるを得ない。
このような状況において、本出願にかかる発明者は、まず、ステップ電圧を印加したときの応答電流から、如何なる有用なデータが得られるかについて研究を行った。ここで、図１２に示す摸式図は、皮膚にステップ電圧を印加したときに応答電流が流れる原理を示した図である。図１２に示すように、人体の皮膚は角質層である表皮１００と、血液が流れている真皮１０１との二層構造になっており、表皮１００と真皮１０１とは基底膜１０２によって分離されている。皮膚の表面、すなわち、表皮１００の表面に一対の電極１１０Ａ，１１０Ｂを装着し、電極１１０Ａ，１１０Ｂ間にステップ電圧を印加すると、電流はプラス電極１１０Ａから表皮１００に入り、基底膜１０２を通って真皮１０１に流れ込む。そして、電流は真皮１０１内を流れて、再び基底膜１０２を通って表皮１００からマイナス電極１１０Ｂに流れ込む。このとき、基底膜１０２には電荷（Ｎａ＋，Ｃｌ−等のイオン等）が溜まって分極が起こり、応答電流量は次第に減少していく。
上記の原理を回路図に置き換えたのが図１３である。図１３における抵抗１２０は真皮１０２内での抵抗にあたり、抵抗１２２及びコンデンサ１２１は、それぞれ基底膜１０２の電気抵抗と電気容量にあたる。そして、これら三要素のうち、特に、真皮１０２の抵抗（抵抗１２０）は体内の細胞外液の電気抵抗であり、その抵抗値Ｒ０によって体内の新陳代謝の良否があらわされると予想される。また、基底膜１０２の電気容量は基底膜近傍の電解質の量に相当し、その容量値Ｃによって体内の電解質の過不足があらわされると予想される。このとき、破線で示される真皮１０２内での電気容量１２３も考慮の対象となりえるが、これの容量は十分に大きいため、通常はその影響を考慮しなくともよい。
上述の「陰陽」との関連で考えた場合、細胞外液の電気抵抗とは体内での化学変化の起こりやすさ、すなわち生命活動環境と考えられ、器質としての気、すなわち陰気（栄気）の虚実を示していると解釈することができる。また、基底膜近傍の電解質の量は細胞外環境の充実度、すなわち末梢表面の細胞の活動度と考えられ、代謝量や免疫力等の活性度としての気、すなわち陽気（衛気）の虚実を示していると解釈することができる。このように、本発明者は、図１３に示すように皮膚を電気的等価回路にモデル化することによって、抵抗１２０の抵抗値Ｒ０によって陰気の虚実を定量的に診断することができ、コンデンサ１２１の容量値Ｃによって陽気の虚実を定量的に診断することができることを見出した。
次に、本発明者は、上述の抵抗値Ｒ０と容量値Ｃの測定方法について鋭意研究を行った。その結果、以下の方法にて測定できることを見出した。まず、図１３の回路にステップ電圧を印加した場合、得られる応答電流の波形は、皮膚にステップ電圧を印加した場合の応答電流の波形（図１１のグラフ（ｂ）に示す波形）に極めて似ている。これは図１３の回路が皮膚の電気的特性を適正にあらわしていることを意味している。図１１のグラフ（ｂ）に示す波形を図１３の回路にステップ電圧を印加した場合の応答電流の波形と考えた場合、その初期電流量ＩＰを用いて以下の式（１）によって抵抗値Ｒ０をあらわすことができる。
ＩＰ＝Ｅ／Ｒ０  ・・・（１）
この初期電流量ＩＰは、特公平２−３３８１号公報に開示された装置においても診断用のパラメータの一つとして挙げられていたものである。なお、式（１）においてＥは印加するステップ電圧の電圧値である。
一方、容量値Ｃは、変動時間面積ＩＱを用いて以下の式（２）であらわすことができる。
ＩＱ＝Ｅ×Ｃ×Ｒ２／（Ｒ＋Ｒ０）２  ・・・（２）
この変動時間面積ＩＱも、特公平２−３３８１号公報に開示された従来装置においても診断用のパラメータの一つとして挙げられていたものである。したがって、従来装置で得られるパラメータを用いても、「陰陽」の判断データである抵抗値Ｒ０及び容量値Ｃを測定することができるとも考えられる。ところが、式（２）を見てもわかるように、変動時間面積ＩＱを用いて容量値Ｃを求めるためには、基底膜１０２の抵抗値Ｒを求める必要がある。この抵抗値Ｒは、真皮１０１の抵抗値Ｒ０と分極発生時点の安定値ＩＳとを用いて求めることができるものの、抵抗値Ｒ０に比較して変動率が大きく、常に少なからぬ誤差が含まれてしまう。また、波形図から求める変動時間面積ＩＱ自体にも少なからぬ誤差が含まれている。したがって、式（２）に示す変動時間面積ＩＱから求める方法では、正確に容量値Ｃを測定することはできない。
また、図１３の電気容量１２３を考慮した場合、電圧印加当初から、皮膚表面の電気容量１２１で分極が完成したあとも、応答電流には緩やかな減衰が続くと考えられる。変動時間面積ＩＱを実測値の総和として算出する場合などは、この緩やかな減衰による誤差が大きくなってしまう。
本発明は、以上のような課題に鑑み創案されたもので、生体の皮膚を三要素回路でモデル化したときの基底膜の電気容量、すなわち、基底膜近傍の電解質の量を示す電気的特性値を正確に測定できるようにした測定装置を提供することを目的とする。
また、上記の電気的特性値の測定結果を利用して経絡臓器機能の状態を的確に診断できるようにした診断装置及び診断プログラムを提供することを目的とする。
発明の開示
本発明者は、鋭意研究した結果、式（３）に示すように初期電流変化量ｄｉ（０）／ｄｔから基底膜の容量値Ｃを算出することで、変動率の大きい基底膜の抵抗による誤差の影響を受けることなく、正確に容量値Ｃを測定できることを見出した。
ｄｉ（０）／ｄｔ＝Ｅ／（Ｃ×Ｒ０２）＝ＩＰ２／（Ｃ×Ｅ）  ・・・（３）
この算出方法によれば、ステップ電圧を印加したときの初期段階ですぐに基底膜の容量値Ｃを測定することができるので、従来のように分極発生時点まで計測する必要がなくなり、さらに、計測時間内での外的影響や身体内での電気的特性の変動の影響も無視することができるという利点もある。
さらに、真皮内での電気容量を考慮したとしても、この電気容量による応答電流の初期の減衰は緩やかなため、上記算出方法によれば容量値Ｃには誤差はほとんど含まれることはない。また、真皮内での電気容量を考慮した場合には、基底膜の電気容量による分極と真皮内での電気容量による分極を比較する方法で容量値Ｃを算出することも考えられるが、分極完成時まで電圧印加を続ける必要があり、身体内に電気的特性の変動を起こす虞がある。これに対し、上記算出方法によればこうした問題が生じることもない。
本発明の第１の電気的特性値測定装置は、上記の算出方法を用いたものであり、従来同様に生体の皮膚に装着される一対の電極と、電極間にステップ電圧を印加する電圧印加手段を備えるとともに、電圧印加手段によりステップ電圧が印加されたときに電極間に流れる応答電流の初期電流量を計測する初期電流量計測手段、及び、応答電流の初期の所定時間あたりの変化量を計測する初期電流変化量計測手段を備え、さらに、初期電流量の平方値を初期電流変化量で除して得られる値の関数として測定データを作成するデータ作成手段と、作成した測定データを出力する出力手段とを備えたことを特徴としている。
このような構成により、基底膜の容量値Ｃ、すなわち、基底膜近傍の電解質の量を示す電気的特性値を正確に測定することができ、主観的な判断によることなく経絡臓器機能の異常、特に活性度としての気である陽気（衛気）の虚実に関係する異常についてより定量的に判断することができるようになった。
本発明の第２の電気的特性値測定装置は、さらに総合的な診断を可能にしたものであり、第１の電気的特性値測定装置と同じく一対の電極、電圧印加手段、初期電流量計測手段、及び、初期電流変化量計測手段を備えるとともに、初期電流量の関数として第１測定データを作成し、初期電流量の平方値を初期電流変化量で除して得られる値の関数として第２測定データを作成するデータ作成手段を備え、これら各測定データを出力手段によって出力することを特徴としている。
このような構成によれば、真皮の抵抗値Ｒ０に相関する第１測定データによって、器質としての気である陰気（栄気）の虚実を示すことができ、基底膜の容量値Ｃに相関する第２測定データによって、活性度としての気である陽気（衛気）の虚実を示すことができる。したがって、この測定装置によれば、従来のような漠然とした虚実、すなわち体力の有無という一次元的な判断ではなく、陰陽と虚実という二次元的な位置付けで経絡臓器機能の異常について判断することができ、複雑な東洋医学的診断の補佐を十分になしえることが可能になる。
また、本発明者は、真皮の抵抗値Ｒ０を基底膜の容量値Ｃに乗算した値Ｃ×Ｒ０と、真皮の抵抗値Ｒ０で基底膜の容量値Ｃを除算した値Ｃ／Ｒ０とを軸とした２次元的判断方法によっても、陰陽の虚実を適正に判断することが可能なことを臨床試験によって見出した。そこで、本発明者は、以下の構成の電気的特性値測定装置（本発明の第３の電気的特性値測定装置）も提供する。この第３の電気的特性値測定装置は、第２の電気的特性値測定装置と同じく一対の電極、電圧印加手段、初期電流量計測手段、及び、初期電流変化量計測手段を備えるとともに、初期電流量の平方値を初期電流変化量で除して得られる値を初期電流量に乗算した値の関数として第１測定データを作成し、初期電流量の平方値を初期電流変化量で除して得られる値を初期電流量で除算した値の関数として第２測定データを作成するデータ作成手段を備え、これら各測定データを出力手段によって出力することを特徴としている。
このような構成の測定装置によっても、従来のような漠然とした虚実、すなわち体力の有無という一次元的な判断ではなく、陰陽と虚実という二次元的な位置付けで経絡臓器機能の異常について判断することができ、複雑な東洋医学的診断の補佐を十分になしえることが可能になる。
なお、上記の第１〜第３の電気的特性値測定装置とは別に、初期電流量の関数として第１測定データを作成し、初期電流変化量の関数として第２測定データを作成するデータ作成手段を備えた測定装置を提供することもできる（他の構成要素は第１，第２の電気的特性値測定装置に同じ）。基底膜の容量値Ｃは、式（３）で示すように初期電流量と初期電流変化量とを用いて算出することができるので、これらの値に相関する測定データさえ得られれば、別の演算装置を用いて基底膜の容量値Ｃを改めて算出することもできるからである。
なお、上記の各測定装置における初期電流量及び初期電流変化量の計測方法は、以下の方法によるのが好ましい。まず、サンプリング手段によって、電極間に流れる電流量を所定の周期でサンプリングする。そして、サンプリング手段でサンプリングされた一番目のサンプリング値を初期電流量計測手段により初期電流量として取得し、一番目のサンプリング値と二番目のサンプリング値との偏差を初期電流変化量計測手段により初期電流変化量として取得する。この方法によれば、わずか２つのデータで、真皮の抵抗値Ｒ０も基底膜の容量値Ｃも正確に測定することができる。もちろん、一番目のサンプリング値と三番目のサンプリング値とを用いる等、他の任意の二つのサンプリング値を用いて初期電流変化量を算出してもよい。
上記の各測定装置は、計測端末にコンピュータを接続し、生体の皮膚に装着された一対の電極間にステップ電圧が印加されたときに電極間に流れる応答電流を計測端末によって計測するとともに、コンピュータに以下の電気的特性値測定プログラムを読み込み実行することで実現することができる。以下に示す各電気的特性値測定プログラムは、いずれも、計測端末からの電気信号に基づき生体の電気的特性値を測定する測定装置として、コンピュータを機能させる測定プログラムである。
まず、本発明の第１の電気的特性値測定プログラムは、計測端末から電気信号が入力される入力手段と、電気信号から電極間に流れる応答電流の初期電流量を計測する初期電流計測手段と、電気信号からステップ電圧の印加開始から印加開始直後における電極間に流れる応答電流の変化量を計測する初期電流変化量計測手段と、初期電流量の平方値を初期電流変化量で除して得られる値の関数として測定データを作成するデータ作成手段と、測定データを出力する出力手段とを備えた測定装置として、コンピュータを機能させることを特徴としている。この測定プログラムを計測端末に接続されたコンピュータに読み込み実行することで、上記の本発明の第１の電気的特性値測定装置が実現される。
本発明の第２の電気的特性値測定プログラムは、計測端末から電気信号が入力される入力手段と、電気信号から電極間に流れる応答電流の初期電流量を計測する初期電流計測手段と、電気信号からステップ電圧の印加開始から印加開始直後における電極間に流れる応答電流の変化量を計測する初期電流変化量計測手段と、初期電流量の関数として第１測定データを作成し、初期電流量の平方値を初期電流変化量で除して得られる値の関数として第２測定データを作成するデータ作成手段と、各測定データを出力する出力手段とを備えた測定装置として、コンピュータを機能させることを特徴としている。この測定プログラムを計測端末に接続されたコンピュータに読み込み実行することで、上記の本発明の第２の電気的特性値測定装置が実現される。
本発明の第３の電気的特性値測定プログラムは、計測端末から電気信号が入力される入力手段と、電気信号から電極間に流れる応答電流の初期電流量を計測する初期電流計測手段と、電気信号からステップ電圧の印加開始から印加開始直後における電極間に流れる応答電流の変化量を計測する初期電流変化量計測手段と、初期電流量の平方値を初期電流変化量で除して得られる値を初期電流量に乗算した値の関数として第１測定データを作成し、初期電流量の平方値を初期電流変化量で除して得られる値を初期電流量で除算した値の関数として第２測定データを作成するデータ作成手段と、各測定データを出力する出力手段とを備えた測定装置として、コンピュータを機能させることを特徴としている。この測定プログラムを計測端末に接続されたコンピュータに読み込み実行することで、上記の本発明の第３の電気的特性値測定装置が実現される。
さらに、本発明者は、以上の測定装置を応用した経絡臓器機能診断装置も提供する。まず、本発明の第１の経絡臓器機能診断装置は、従来同様に生体の皮膚に装着される一対の電極と、電極間にステップ電圧を印加する電圧印加手段を備えている。そして、電圧印加手段によりステップ電圧が印加されたときに電極間に流れる応答電流の初期電流量を初期電流量計測手段により計測するとともに、応答電流の初期の所定時間あたりの変化量を初期電流変化量計測手段により計測し、電気的特性値算出手段によって、初期電流量の平方値を初期電流変化量で除して得られる値の関数として生体の電気的特性値を算出するようにしている。さらに、上記の電気的特性値と生体の経絡臓器機能の状態との関係を記憶したデータベースを備えており、今回算出された電気的特性値に対応する経絡臓器機能状態を検索手段によってデータベースから検索し、検索手段が検索した検索結果を表示手段に表示するようにしている。
このような構成によれば、活性度としての気である陽気（衛気）の虚実に関係して経絡臓器機能に異常があった場合には、その異常の内容が表示手段に自動的に表示される。したがって、この診断装置によれば、複雑な東洋医学的診断の容易化を図ることができ、熟練が必要とされる治療プランの決定における補佐を十分になしえることができる。
また、本発明の第２の経絡臓器機能診断装置は、第１の経絡臓器機能診断装置と同様に一対の電極、電圧印加手段、初期電流量計測手段、及び、初期電流変化量計測手段を備えるとともに、初期電流量の関数として生体の第１電気的特性値を算出し、初期電流量の平方値を初期電流変化量で除して得られる値の関数として生体の第２電気的特性値を算出する電気的特性値算出手段を備えている。そして、データベースには、各電気的特性値と生体の経絡臓器機能の状態との関係を記憶しており、今回算出された各電気的特性値に対応する経絡臓器機能状態を検索手段によってデータベースから検索し、検索手段が検索した検索結果を表示手段に表示するようにしている。
このような構成によれば、陰陽と虚実という二次元的な位置付けで経絡臓器機能の異常について判断され、その異常の内容が表示手段に自動的に表示される。したがって、この診断装置によれば、複雑な東洋医学的診断の容易化をさらに図ることができ、熟練が必要とされる治療プランの決定における補佐をさらに十分になしえることができる。
本発明の第３の経絡臓器機能診断装置は、第１の経絡臓器機能診断装置と同様に一対の電極、電圧印加手段、初期電流量計測手段、初期電流変化量計測手段、及び、第１の経絡臓器機能診断装置と同機能の電気的特性値算出手段を備えるとともに、生体の複数箇所で検出された電気的特性値を順に一時記憶する一時記憶手段を備えている。そして、データベースには、生体の所定箇所で検出される電気的特性値の集合の特徴と生体の経絡臓器機能の状態との関係を記憶しており、今回算出されて一時記憶手段に記憶された電気的特性値の集合に対応する経絡臓器機能状態を検索手段によってデータベースから検索し、検索手段が検索した検索結果を表示手段に表示するようにしている。
また、本発明の第４の経絡臓器機能診断装置は、第２の経絡臓器機能診断装置と同様に一対の電極、電圧印加手段、初期電流量計測手段、初期電流変化量計測手段、及び、第２の経絡臓器機能診断装置と同機能の電気的特性値算出手段を備えるとともに、生体の複数箇所で検出された電気的特性値を順に一時記憶する一時記憶手段を備えている。そして、データベースには、生体の所定箇所で検出される各電気的特性値の集合の特徴と生体の経絡臓器機能の状態との関係を記憶しており、今回算出されて一時記憶手段に記憶された各電気的特性値の集合に対応する経絡臓器機能状態を検索手段によってデータベースから検索し、検索手段が検索した検索結果を表示手段に表示するようにしている。
これら第３、第４の経絡臓器機能診断装置の構成によれば、それぞれ第１，第２の経絡臓器機能診断装置の構成で得られる作用効果に加えて、生体の複数箇所で得られた電気的特性値の集合に基づいた、より総合的な診断が可能になり、治療プランの決定にさらに役立てることができる。
なお、好ましくは、上記の各診断装置において、データベースには、各経絡臓器機能の状態に応じた治療方法も記憶しておく。そして、今回の診断にかかる経絡臓器機能状態に応じた治療方法を検索手段によりデータベースから検索して表示手段に表示させるようにする。このように治療点のみならず治療方法も示唆することで、熟練が必要とされた治療プラン決定の容易化を図ることができるようになる。
上記の各診断装置は、上記の本発明の各電気的特性値測定装置で得られた測定データ（電気的特性値）をコンピュータに入力するとともに、コンピュータに以下の経絡臓器機能診断プログラムを読み込み実行することで実現することができる。以下に示す各経絡臓器機能診断プログラムは、いずれも、生体の電気的特性値に基づき生体の経絡臓器機能を診断する診断装置として、コンピュータを機能させる診断プログラムである。
まず、本発明の第１の経絡臓器機能診断プログラムは、応答電流の初期電流量の平方値をステップ電圧の印加開始から印加開始直後における応答電流の変化量で除して得られる値の関数が電気的特性値として用いられるとともに、電気的特性値と生体の経絡臓器機能の状態との関係を記憶したデータベースと、電気的特性値が入力される入力手段と、入力された電気的特性値に対応する経絡臓器機能状態をデータベースから検索する検索手段と、検索手段が検索した検索結果を表示機に出力する出力手段とを備えた診断装置として、コンピュータを機能させることを特徴としている。この診断プログラムをコンピュータに読み込み実行することで、上記の本発明の第１の経絡臓器機能診断装置が実現される。
本発明の第２の経絡臓器機能診断プログラムは、初期電流量の関数と、応答電流の初期電流量の平方値をステップ電圧の印加開始から印加開始直後における応答電流の変化量で除して得られる値の関数とが電気的特性値として用いられるとともに、各電気的特性値と生体の経絡臓器機能の状態との関係を記憶したデータベースと、各電気的特性値が入力される入力手段と、入力された各電気的特性値に対応する経絡臓器機能状態をデータベースから検索する検索手段と、検索手段が検索した検索結果を表示機に出力する出力手段とを備えた診断装置として、コンピュータを機能させることを特徴としている。この診断プログラムをコンピュータに読み込み実行することで、上記の本発明の第２の経絡臓器機能診断装置が実現される。
本発明の第３の経絡臓器機能診断プログラムは、応答電流の初期電流量の平方値をステップ電圧の印加開始から印加開始直後における応答電流の変化量で除して得られる値の関数が電気的特性値として用いられるとともに、生体の所定箇所で検出される電気的特性値の集合の特徴と生体の経絡臓器機能の状態との関係を記憶したデータベースと、所定個所で検出された電気的特性値が入力される入力手段と、入力された電気的特性値の集合に対応する経絡臓器機能状態をデータベースから検索する検索手段と、検索手段が検索した検索結果を表示機に出力する出力手段とを備えた診断装置として、コンピュータを機能させることを特徴としている。この診断プログラムをコンピュータに読み込み実行することで、上記の本発明の第３の経絡臓器機能診断装置が実現される。
本発明の第４の経絡臓器機能診断プログラムは、初期電流量の関数と、応答電流の初期電流量の平方値をステップ電圧の印加開始から印加開始直後における応答電流の変化量で除して得られる値の関数とが電気的特性値として用いられるとともに、生体の所定箇所で検出される各電気的特性値の集合の特徴と生体の経絡臓器機能の状態との関係を記憶したデータベースと、所定個所で検出された各電気的特性値が入力される入力手段と、入力された各電気的特性値の集合に対応する経絡臓器機能状態をデータベースから検索する検索手段と、検索手段が検索した検索結果を表示機に出力する出力手段とを備えた診断装置として、コンピュータを機能させることを特徴としている。この診断プログラムをコンピュータに読み込み実行することで、上記の本発明の第４の経絡臓器機能診断装置が実現される。
以上の各診断プログラムにおいて、好ましくは、各経絡臓器機能の状態に応じた治療方法をデータベースに記憶しておき、今回の診断にかかる経絡臓器機能状態に応じた治療方法を検索手段によりデータベースから検索し、検索結果を出力手段により表示機に出力する診断装置として、コンピュータを機能させるようにする。
発明を実施するための最良の形態
以下、図面を参照して本発明の実施の形態を説明する。
（Ａ）第１実施形態
図１は、本発明の第１実施形態としての電気的特性値測定装置１の構成を示すブロック図である。この電気的特性値測定装置１は、患者の皮膚にステップ電圧を印加し、そのときの応答電流から経絡臓器機能の診断に有用なデータ（生体の電気的特性値）を測定する装置であり、図１に示すように計測装置１０、データ処理装置２０、及び表示機（表示手段）５０から構成されている。
計測装置１０は、生体の皮膚にステップ電圧を印加する機能と、そのときの応答電流を計測する機能とを有しており、一対の電極１１Ａ，１１Ｂ、ステップ電圧発生装置（電圧印加手段）１２、電流計１３、データサンプリング回路（サンプリング手段）１４、クロック発生回路１５、及び、２つのメモリ１６，１７から構成されている。電極１１Ａ，１１Ｂは、生体の皮膚にステップ電圧を印加するための手段であり、図示しないトリガスイッチを入れることによってステップ電圧発生装置１２から電極１１Ａ，１１Ｂ間にステップ電圧が印加されるようになっている。ステップ電圧発生装置１２が発生する電圧は、通常は３Ｖ程度に設定されている。
ステップ電圧の印加によって電極１１Ａ，１１Ｂ間に流れる電流量は、電流計１３により常時計測されている。そして、電流計１３により計測される電流量は、データサンプリング回路１４により所定のタイミングでＡ／Ｄ変換されてデジタル信号として取り込まれる。このデータサンプリング回路１４によるサンプリングタイミングは、クロック発生回路１５から出力されるクロック信号によって制御されている。クロック発生回路１５は、ステップ電圧発生装置１２によるステップ電圧の印加に同期して第１のサンプリング命令パルス信号（第１命令信号）を発生し、所定の微小時間後に第２のサンプリング命令パルス信号（第２命令信号）を発生する。データサンプリング回路１４は、図２に示すように、これら第１命令信号と第２命令信号とに同期して電流計１３から電流量Ｉを取り込み、第１命令信号に同期して取り込んだ電流量Ｉ１、は、第１メモリ１６に記憶し、第２命令信号に同期して取り込んだ電流量Ｉ２は、第２メモリ１７に記憶する。各メモリ１６，１７に記憶された電流量Ｉ１，Ｉ２は、次に説明するデータ処理装置２０において処理される。
データ処理装置２０は、計測装置１０により得られた電流量Ｉ１，Ｉ２を図示しない入力インタフェース（入力手段）を介して各メモリ１６，１７から読み出して適宜の処理を行い、診断のための電気的特性値を算出する機能を有しており、初期電流量算出回路（初期電流量計測手段）２１、初期電流変化量算出回路（初期電流変化量計測手段）２２、及び、電気的特性値算出回路（データ作成手段，電気的特性値算出手段）２３から構成されている。初期電流量算出回路２１は、ステップ電圧の印加直後に流れる応答電流の電流量を算出する手段であるが、ここでは第１メモリ１６から電流量Ｉｌを読み出して初期電流量ＩＰとしている。初期電流変化量算出回路２２は応答電流の初期の所定時間あたりの変化量を算出する手段であるが、ここでは第１メモリ１６から読み出した電流量Ｉ１と第２メモリ１７から読み出した電流量Ｉ２との偏差を算出し、その偏差を初期電流変化量ｄｉ（０）｛ｄｉ（０）＝Ｉ１−Ｉ２｝としている。
電気的特性値算出回路２３は、初期電流量算出回路２１で算出された初期電流量ＩＰと、初期電流変化量算出回路２２で算出された初期電流変化量ｄｉ（０）とを用いて電気的特性値を算出する手段であり、電気抵抗値Ｒ０を算出する電気抵抗算出回路２４と、電気容量値Ｃを算出する電気容量値算出回路２５とから構成されている。これら電気抵抗値Ｒ０及び電気容量値Ｃは、前述の通り、皮膚を図１３に示す電気的等価回路にモデル化した場合の生体の電気的特性値であり、電気抵抗値Ｒ０は細胞外液の電気抵抗の大きさに相当し、電気容量値Ｃは基底膜近傍の電解質の量に相当している。電気抵抗算出回路２４は、前述の式（１）に初期電流量ＩＰを代入することで電気抵抗値Ｒ０を算出するように構成されている。一方、電気容量値算出回路２５は、前述の式（３）に初期電流量ＩＰと初期電流変化量ｄｉ（０）とを代入することで電気容量値Ｃを算出するように構成されている。なお、式（３）におけるｄｔは、電流量Ｉ１，Ｉ２のサンプリング間隔であり、クロック発生回路１５によるクロック周期に等しい。
電気抵抗算出回路２４、電気容量値算出回路２５で算出された各電気的特性値（電気抵抗値Ｒ０，電気容量値Ｃ）は、出力インタフェース（出力手段）２９を介して表示機５０に出力される。表示機５０における表示形式は単なる数値表示でもよいが、ここでは図３に示すような二次元マップ上における座標点として表示される。図３のマップは、縦軸に電気容量値Ｃをとり、横軸に電気抵抗値Ｒ０の逆数をとったものである。前述したように電気容量値Ｃが示す基底膜近傍の電解質の量は、細胞外環境の充実度、すなわち末梢表面の細胞の活動度と考えられ、これは代謝量や免疫力等の活性度としての気である陽気（衛気）の虚実を示していると解釈することができる。また、電気抵抗値Ｒ０が示す細胞外液の電気抵抗は、体内での化学変化の起こりやすさ、すなわち生命活動環境と考えられ、これは器質としての気である陰気（栄気）の虚実を示していると解釈することができる。したがって、図３に示すマップによれば、縦軸によって陽気（衛気）の虚実を示し、横軸によって陰気（栄気）の虚実を示すことができる。
以上のように、本実施形態の電気的特性値測定装置１によれば、陰気（栄気）の虚実を示す真皮の電気抵抗値Ｒ０と、陽気（衛気）の虚実を示す基底膜の電気容量値Ｃとを測定データとして得ることができる。したがって、本実施形態の電気的特性値測定装置１を診断に用いることにより、従来のような漠然とした虚実、すなわち体力の有無という一次元的な判断ではなく、図３に示すようなマップを用いて陰陽と虚実という二次元的な位置付けで患者の経絡臓器機能の異常について判断することが可能になる。すなわち、本実施形態の電気的特性値測定装置１は、複雑な東洋医学的診断の補佐を十分になしえることができる。
また、本実施形態の電気的特性値測定装置１によれば、わずか２つの計測データ（電流量Ｉ１，Ｉ２）で、電気抵抗値Ｒ０も電気容量値Ｃも正確に測定することができるので、ステップ電圧を印加したときの初期段階で測定が完了する。したがって、従来のように分極発生時点まで計測する必要がなくなり、さらに、計測時間内での外的影響や身体内での電気的特性の変動の影響も無視することができるという利点もある。
なお、本実施形態の電気的特性値測定装置１は電気回路を組み合わせた専用装置として構成してもよいが、計測装置１０のみ専用の計測端末を用いて、データ処理装置２０は汎用のコンピュータを用いるようにしてもよい。この場合、データ処理装置２０を構成する各要素２１，２２，２３，２４，２５の機能は、専用のプログラム（電気的特性値測定プログラム）をコンピュータに読み込み実行することで実現することができる。
（Ｂ）第２実施形態
図４は、本発明の第２実施形態としての電気的特性値測定装置２の構成を示すブロック図である。この電気的特性値測定装置２は、第１実施形態の電気的特性値測定装置１のデータ処理装置２０に新たにデータ変換回路２６を備えたことを特徴としている。
このデータ変換回路２６は、乗算回路２７と除算回路２８とからなる。乗算回路２７では、電気抵抗値算出回路２４で算出された電気抵抗値Ｒ０が電気容量値算出回路２５で算出された電気容量値Ｃに乗算され、新たな電気的特性値Ｃ×Ｒ０が算出される。また、除算回路２８では、電気容量値Ｃが電気抵抗値Ｒ０で除算され、新たな電気的特性値Ｃ／Ｒ０が算出される。そして、これら新たな電気的特性値Ｃ×Ｒ０，Ｃ／Ｒ０が表示機５０に出力される。出力された電気的特性値Ｃ×Ｒ０，Ｃ／Ｒ０は、表示機５０において図５に示すような二次元マップ上における座標点として表示される。図５のマップは、縦軸に電気的特性値Ｃ×Ｒ０をとり、横軸に電気的特性値Ｃ／Ｒ０をとったものである。陰陽との関連で考えた場合、このマップは、縦軸のプラス側は隠虚陽実を示しマイナス側は陰実陽虚を示すことになる。また、横軸のプラス側は隠陽両実を示しマイナス側は陰陽両虚を示すことになる。
したがって、本実施形態の電気的特性値測定装置２を診断に用いることによっても、従来のような漠然とした虚実、すなわち体力の有無という一次元的な判断ではなく、陰陽と虚実という二次元的な位置付けで患者の経絡臓器機能の異常について判断することができる。すなわち、本実施形態の電気的特性値測定装置２は、第１実施形態と同様、複雑な東洋医学的診断の補佐を十分になしえることができる。
なお、本実施形態の電気的特性値測定装置２も、第１実施形態と同様に、電気回路を組み合わせた専用装置として構成することも、計測装置１０のみ専用の計測端末を用いてデータ処理装置２０は汎用のコンピュータを用いて構成することもできる。
（Ｃ）第３実施形態
図６は、本発明の第３実施形態としての経絡臓器機能診断装置３の構成を示すブロック図である。この経絡臓器機能診断装置３は、第１実施形態の電気的特性値測定装置１を利用したものであり、図１に示す電気的特性値測定装置１の構成に、新たにデータ解析装置３０を組み合わせた構成になっている。
データ解析装置３０は、データ処理装置２０で算出された各電気的特性値（電気抵抗値Ｒ０，電気容量値Ｃ）に基づいて、患者の経絡臓器機能の状態を診断する機能を有しており、特徴判定装置３１、検索装置（検索手段）３２、及び、データベース３３から構成されている。特徴判定装置３１は、算出された各電気的特性値と閾値との比較によって、患部（経絡）の電気的な特徴を判定する。例えば、電気容量値Ｃが閾値より大きいときには、「電気容量値Ｃが大きい」という判定がなされ、逆に閾値より小さいときには、「電気容量値Ｃが小さい」という判定がなされる。このような電気的特徴に応じて、データベース３３には、図７に示すように、各電気的特徴から予想される症状や体質（経絡臓器機能の状態）と、推薦する治療方法とが記憶されている。検索装置３２は、特徴判定装置３１で判定された電気的特徴を検索条件としてデータベース３３を検索し、今回判定された電気的特徴から予想される症状，体質及びその治療方法をデータベース３３から読み出し、表示機５０に出力する。このとき、表示機５０には、患部の各電気的特徴から予想される症状・体質とその治療方法とを表示すると同時に、図３に示すマップによって陰陽・虚実のバランスを表示してもよい。
東洋医学における陰陽の虚実と経絡臓器機能との関係を理解するのには専門的な知識が必要であり、その診断方法は極めて複雑であるが、本実施形態の経絡臓器機能診断装置３によれば、陰陽と虚実という二次元的な位置付けで経絡臓器機能の異常が診断され、その異常の内容がその治療方法とともに表示機５０に自動的に表示される。したがって、本実施形態の経絡臓器機能診断装置３を診断に用いることにより、複雑な東洋医学的診断の容易化を図ることができる。すなわち、本実施形態の経絡臓器機能診断装置３は、熟練が必要とされる東洋医学的治療の治療プランの決定における補佐をも十分になしえることができる。
なお、本実施形態の経絡臓器機能診断装置３は電気回路を組み合わせた専用装置として構成してもよく、計測装置１０とデータ処理装置２０とを専用装置として、データ解析装置３０は汎用のコンピュータを用いるようにしてもよい。この場合、データ解析装置３０を構成する各要素３１，３２，３３の機能は、専用のプログラム（経絡臓器機能診断プログラム）をコンピュータに読み込み実行することで実現することができる。或いは、計測装置１０のみ専用の計測端末を用いて、データ処理装置２０とデータ解析装置３０とは汎用のコンピュータを用いるようにしてもよい。この場合、一つのコンピュータにデータ処理装置２０の機能とデータ解析装置３０の機能を持たせることもできる。
（Ｄ）第４実施形態
図８は、本発明の第４実施形態としての経絡臓器機能診断装置４の構成を示すブロック図である。本実施形態の経絡臓器機能診断装置４は、身体の複数個所での測定データ（電気的特性値）から患者の経絡臓器機能の状態を総合的に診断できるようにしたものである。
このため、本実施形態にかかるデータ解析装置４０は、身体の複数個所で測定された各電気的特性値（電気抵抗値Ｒ０，電気容量値Ｃ）を記憶するための複数のメモリ４５Ａ〜４５Ｎを備えた一時記憶装置４４を備えている。データ処理装置２０で算出された各電気的特性値は、計測装置１０での計測順にメモリ４５Ａ〜４５Ｎに記憶される。データ解析装置４０は、この一時記憶装置４４と、特徴判定装置４１、検索装置４２、及び、データベース４３から構成されている。
特徴判定装置４１は、一時記憶装置４４に記憶されている各電気的特性値を所定の判定式に照合することによって、各電気的特性値の集合の特徴として患部の電気的特徴を判定する。例えば、全電気容量値Ｃの平均値が所定の閾値より小さいときには、「経絡全体の電気容量値Ｃの平均値が小さい」という判定がなされる。また、上半身の電気容量値Ｃの平均値と下半身の電気容量値Ｃの平均値との差が所定の閾値より大きいときには、「上下半身それぞれの電気容量値Ｃの平均値に差がある」という判定がなされる。また、特定の経絡に経絡に着目したときに、左半身の電気容量値Ｃの平均値と右半身の電気容量値Ｃの平均値との差が所定の閾値より大きいときには、「特定経絡の電気容量値Ｃの左右差が大きい」という判定がなされる。
このような電気的特徴に応じて、データベース４３には、図９に示すように、各電気的特徴から予想される症状や体質（経絡臓器機能の状態）と、推薦する治療方法とが記憶されている。検索装置４３は、特徴判定装置４１で判定された電気的特徴を検索条件としてデータベース４３を検索し、今回判定された電気的特徴から予想される症状，体質及びその治療方法をデータベース４３から読み出し、表示機５０に出力する。なお、図９では省略しているが、データベース４３には、第３実施形態と同様に単数箇所の電気的特性値に基づいて診断するためのデータも記憶されている。本実施形態においても、表示機５０には、患部の各電気的特徴から予想される症状・体質とその治療方法とを表示すると同時に、図３に示すマップによって陰陽・虚実のバランスを表示してもよい。
このような構成により、本実施形態の経絡臓器機能診断装置４によれば、第３実施形態の経絡臓器機能診断装置３と同じく、陰陽と虚実という二次元的な位置付けで経絡臓器機能の異常を診断し、その異常の内容をその治療方法とともに表示機５０に自動的に表示することができ、さらには、身体の複数箇所で得られた電気的特性値の集合に基づいた、より総合的な診断も可能である。したがって、本実施形態の経絡臓器機能診断装置３を診断に用いることにより、熟練が必要とされる東洋医学的治療の治療プランの決定にさらに役立てることができる。
なお、本実施形態の経絡臓器機能診断装置４も、第３実施形態と同様に、電気回路を組み合わせた専用装置として構成することも、計測装置１０とデータ処理装置２０とは専用装置として、データ解析装置３０のみ汎用のコンピュータを用いて構成することもできる。或いは、計測装置１０のみ専用の計測端末を用い、データ処理装置２０とデータ解析装置３０とは汎用のコンピュータを用いて構成することもできる。
（Ｅ）第５実施形態
図１０は、本発明の第５実施形態としての経絡臓器機能診断システムの構成を示すブロック図である。本実施形態の経絡臓器機能診断システム５は、サーバ８０と複数の診断端末７０とを電話回線網等の通信ネットワーク６０を介して接続することによって構成されている。
この経絡臓器機能診断システム５では、サーバ８０が第３，第４実施形態にかかるデータ解析装置３０，４０に相当しており、サーバ８０に設けられたデータベース８１が第３，第４実施形態にかかるデータベース３３，４３に相当している。サーバ８０のデータ解析装置としての機能は、第３実施形態にかかるデータ解析装置３０或いは第４実施形態にかかるデータ解析装置４０と同機能である。また、診断端末７０が第３，第４実施形態にかかる計測装置１０及びデータ処理装置２０に相当している。診断端末７０の計測装置としての機能及びデータ処理装置としての機能は、第３，第４実施形態にかかる計測装置１０及びデータ処理装置２０と同機能である。診断端末７０での計測により得られた測定データ（電気的特性値）は、通信ネットワーク６０を介してサーバ８０に送信され、サーバ８０においてデータ解析が行われて、予想される症状や体質（経絡臓器機能の状態）と推薦する治療方法がデータベース８１から検索される。この検索結果は、サーバ８０から通信ネットワーク６０を介して診断端末７０に送信され、表示機５０に表示される。
このような構成により、本実施形態の経絡臓器機能診断システム５によれば、複数の診断端末７０においてサーバ８０のデータベース８１の診断データを共用することができる。データベースの診断データを更新する場合、第３，第４実施形態の経絡臓器機能診断装置では、診断装置が複数在る場合には診断装置毎にデータベースを更新する必要があるが、本実施形態によればサーバ８０のデータベース８１の診断データのみ更新すれば足りる。したがって、診断データの更新のための手間が省けるとともに、各診断端末７０において常に最新の診断データを用いた診断を行うことができるという利点がある。
（Ｆ）その他
以上、本発明の５つの実施形態について説明したが、本発明は上述の実施形態に限定されるものではなく、本発明の趣旨を逸脱しない範囲で種々変形して実施することができる。例えば、各実施形態では、生体の電気的特性値として電気抵抗値Ｒ０と電気容量値Ｃを算出しているが、電気容量値Ｃのみ、或いは、電気抵抗値Ｒ０のみを算出することも勿論可能である。電気容量値Ｃは陽気（衛気）の虚実を示し、電気抵抗値Ｒ０は陰気（栄気）の虚実を示していると考えられるので、何れか一方のみであっても、少なくとも陽気（衛気）の虚実、或いは陰気（栄気）の虚実に基づいた経絡臓器機能の診断は可能である。
また、各実施形態では電極を一対のみ設けた場合について説明しているが、より複数の電極からなる電極群を設けて、複数箇所における電気的特性値を一度に測定することも勿論可能である。
【図面の簡単な説明】
図１は本発明の第１実施形態としての電気的特性値測定装置の構成を示すブロック図である。
図２は図１の電気的特性値測定装置におけるデータ計測方法を説明するための図である。
図３は図１の電気的特性値測定装置において表示機に表示される二次元マップを示す図である。
図４は本発明の第２実施形態としての電気的特性値測定装置の構成を示すブロック図である。
図５は図４の電気的特性値測定装置において表示機に表示される二次元マップを示す図である。
図６は本発明の第３実施形態としての経絡臓器機能診断装置の構成を示すブロック図である。
図７は図６の経絡臓器機能診断装置におけるデータベースの記憶内容を示す図である。
図８は本発明の第４実施形態としての経絡臓器機能診断装置の構成を示すブロック図である。
図９は図８の経絡臓器機能診断装置におけるデータベースの記憶内容を示す図である。
図１０は本発明の第５実施形態としての経絡臓器機能診断システムの構成を示すブロック図である。
図１１は従来の測定装置におけるデータ計測方法を示す図であり、グラフ（ａ）は電圧の時間変化を示し、グラフ（ｂ）は応答電流の時間変化を示している。
図１２は皮膚にステップ電圧を印加したときに応答電流が流れる原理を示す模式図である。
図１３は図１２に示す原理を等価回路に置き換えた図である。
【図１】
2003090620.tif 000003
【図２】
2003090620.tif 000004
【図３】
2003090620.tif 000005
【図４】
2003090620.tif 000006
【図５】
2003090620.tif 000007
【図６】
2003090620.tif 000008
【図７】
2003090620.tif 000009
【図８】
2003090620.tif 000010
【図９】
2003090620.tif 000011
【図１０】
2003090620.tif 000012
【図１１】
2003090620.tif 000013
【図１２】
2003090620.tif 000014
【図１３】
2003090620.tif 000015
【国際調査報告】
2003090620.tif 000016
2003090620.tif 000017
2003090620.tif 000018
2003090620.tif 000019